(57)【要約】【課題】  電波センサから放射される電波を導波管を通じて吐水空間に電波を放射することにより、スパウトや受水部の形に関係なく被洗浄物を検知することを可能とする。  【解決手段】  本発明では、吐水部であるスパウト内部に導波管と水路配管を構成し、水路に沿って導波管出口を複数に分割して配置し、吐水口から吐水空間に向かって電波を放射させているため、吐水口周辺を広範囲に電波強度の強いエリアを設定することができる。従って、被洗浄物が様々な方向から吐水口に向かって近づく時や、幅広吐水のように手を差し出す位置が広範囲になる場合においても、確実に使用者を検知できる使い勝手のよい水栓装置を提供することができる。【選択図】  図１５
2010236269.tif 000002
【特許請求の範囲】
【請求項１】
吐水口を備えた吐水部と、
前記吐水部からの吐止水を切り替えるバルブと、
前記吐水部内部に設けられ、一端が前記バルブに接続され、他端が前記吐水口に接続された水路配管と、
送信信号を放射し、被検知体により反射した反射信号を受信するアンテナと、
前記アンテナで受信した反射信号に基づいて、前記バルブの開閉を制御する制御部と、
を備えた水栓装置であって、
前記導波管の一端は前記アンテナの電波放射面近傍に配置され、
前記導波管の他端は分岐部を介して複数の開口部を有し、
前記複数の開口部は前記吐水部の前記吐水口近傍に配置されていることを特徴とする水栓装置。
【請求項２】
前記複数の開口部は前記吐水口を挟み込むように前記吐水部に配置されていることを特徴とする請求項１記載の水栓装置。
【発明の詳細な説明】
【技術分野】
【０００１】
本発明は、例えば公衆トイレの手洗い場や、家庭の洗面化粧台や、キッチンに備えている水栓装置に係わり、特に利用者の手又は利用者が保持する被洗浄物あるいはコップを検知して、水栓装置からの吐止水を自動で制御する水栓装置に関する発明である。 
【背景技術】
【０００２】
手洗い後の濡れた手で水栓装置を触りたくなかったり、調理器具や食材等を持ち、手のふさがった状態だったりした時に、水栓装置の蛇口を操作することなく自動的に吐水を開始できる水栓装置があり、例えば特許文献１に開示されている。
【０００３】
特許文献１には、台所流し台に二種類の検知センサを配置し、手洗いだけでなく食器洗い時に洗浄中以外の食器を検知し続けて、洗浄終了後にも流しっぱなしになることを防ぐシステムを開示している。
【特許文献１】特開平４−８３０２７号公報
【発明の開示】
【発明が解決しようとする課題】
【０００４】
上述した特許文献１に記載された従来技術は、台所流し台において、人体や食器等の物体を検知すると弁が開き、吐水口から水道水が供給されるシステムになっている。また、物体検知の為に、吐水口近傍領域と広範囲領域の２個のセンサを配設しているため、広範囲検知用センサで食器や調理器具を検知しても、一定期間吐水口近傍の人体を検知しない場合は、水道水の供給を停止できる、使い勝手の良いシステムになっている。
【０００５】
しかしながら、検知手段に発光・受光素子を用い、投光素子から放射された赤外線が被検知体からの反射した一部の量を受光素子が検知する構成になっている為、被検知体である食器や調理器具の材質や色によっては検知できない物が発生する。例えば、フライパンのような黒色の物や、透明性のコップでは、発光素子から投光される赤外線が吸収又は透過するため、受光素子に反射光が届かない為、結果的にこのような材質の被検知体は、吐水口近傍に差し出しただけでは、水道水の供給が行われないことになる。
【０００６】
また、近年では、洗面ボール（または流し台のシンク）や水栓金具は、インテリアとの調和を考慮され、吐水部分と受水部分が一体となり、吐水部分が無い水栓装置だったり、壁から水栓装置が突出している形態だったり、水栓装置から吐水される水の形態が滝状になっているものがある。このように水栓装置自身の形状や出てくる水の形態が様々構成される場合、被検知体を検知するためのセンサの設置場所がなく、吐水口近傍に利用者が差し出す手や被洗浄物だけを確実に検知することができないという課題があった。
【０００７】
従って、本発明の目的は、水栓装置を利用する人が、水栓装置の形状や被洗浄物によらず、差し出した時に速やかに吐水が開始する使い勝手の良い手洗い装置を提供することにある。
【課題を解決するための手段】
【０００８】
上記目的を達成するために本発明の一態様によれば、吐水口を備えた吐水部と、前記吐水部からの吐止水を切り替えるバルブと、前記吐水部内部に設けられ、一端が前記バルブに接続され、他端が前記吐水口に接続された水路配管と、送信信号を放射し、被検知体により反射した反射信号を受信するアンテナと、前記アンテナで受信した反射信号に基づいて、前記バルブの開閉を制御する制御部と、を備えた水栓装置であって、前記導波管の一端は前記アンテナの電波放射面近傍に配置され、前記導波管の他端は分岐部を介して複数の開口部を有し、前記複数の開口部は前記吐水部の前記吐水口近傍に配置されていることを特徴とする水栓装置である。
【０００９】
また、本発明の一態様によれば、前記複数の開口部は前記吐水口を挟み込むように前記吐水部に配置されていることを特徴とする水栓装置である。
【発明の効果】
【００１０】
本発明によれば、水栓装置を利用する人が、水栓装置の形状や被洗浄物によらず、差し出した時に速やかに吐水が開始する使い勝手の良い手洗い装置という効果がある。
【発明を実施するための最良の形態】
【００１１】
以下、本発明にかかる手洗い装置の実施の形態を図面により詳細に説明する。
（第１の実施例）
【００１２】
図１に水栓装置の第１の実施例の縦断面図を示し、図２に電波センサ及び制御部の制御ブロック図を示す。
【００１３】
図１に示す水栓装置１０は、水道水を供給するための吐水部であるスパウト１と、スパウト１から吐水される水を受ける陶器性の受水部２と、受水部２の内部にスパウト１からの吐止水を切替えるバルブ部４と、被検知体である手や器などの被洗浄物を検知するための電波センサ３と、バルブ部４のｏｎ，ｏｆｆを制御する制御部５とで構成されている。また、スパウト１は受水部２とスパウト根元部１ｂで接続されており、スパウト内部には、受水部２内に配設されている電波センサ３から生成される送信波をスパウト１の吐水口１ａ付近までもらさず導く導波管６と、同じく受水部２内に配設されている一端がバルブ部４に接続され、他端が吐水口１ａである水路配管７が設けられている。尚、電波センサ３とバルブ部４は、スパウト内に収納できると、どちらか一方が故障したときにスパウト１を取り外すだけで交換できるため都合がよいが、収納するスペースが必要なためサイズが大きくなる。従って利用される現場に応じてコンパクト性とメンテ性の両視点から選択するのが望ましく、本実施例ではコンパクト性を重視し、受水部に収納する構成を前提に以下説明する。
【００１４】
電波センサ３は、電波を生成する発振回路１１と、発振回路１１で生成された電波を被検知体に向かって放射するための導波管６内部に送信し、被検知体からの反射電波を導波管６内部を通過し受信する送受信一体のアンテナ１２と、発振回路１１と線路を介して接続され、更にアンテナ１２とも接続されており、両者の信号を検波して得られたドップラー信号から被検知体の有無や速度を判断する検知部１３と、で構成されている。この検知部１３で得られた被検知体の動きに伴う信号は制御部５に出力し、制御部５内部にある被検知体の速度を抽出する速度抽出部１４で、被検知体の状態を識別し、その結果を判定部１５にてあらかじめ記憶部１６に設定している閾値と比較し判断する。この速度抽出部１４、ＦＦＴで構成しても良いし、フィルターで構成しても良いが、複雑な演算を行える場合は前者を選択し、得られる信号が単一ではなく所定の帯域がある場合は後者を選択することが望ましく、本実施例ではフィルターを用いている。この制御部５での信号処理プロセスについては後述する。尚アンテナ１２は、送受信別体でも構わないが、本発明においては、導波管６との接続部の構成をコンパクトに構成するため一体にしている。
【００１５】
次に図３，図４，図５を用いて導波管構造とその特性について説明する。
導波管６は、使用する電波の周波数と通過させたい発振モードに基づきその内部の通路内部の寸法は下式により決定されており、ここではサイズを最も小さくできるＴＥ１０モードを想定した形状にしている。形状は方形でも円形でも良く、スパウト１のデザインにより決定すればよくここでは方形型を採用している。また、導波管６の先端１ａ側の開放端６ａには、水道水の進入を防ぐための封し部材８が挿入されている。
ここでアンテナの励振方向を図３（ａ）のＢ−Ｂ方向としたときに導波管内部の横方向（励振方向と直行方向）をａ、縦方向（励振方向）をｂ、とすると
方形型：λ＝（（ｍ／ａ）2＋（ｎ／ｂ）2）0.5      ・・・式（１）
また、導波管６が円管の場合、その内部の半径をｒとすると、
円形型：λ＝２πｒ／ｋ  （ｋ：定数）          ・・・式（２）
ここで、λは電波センサ３が使用する周波数における空間の波長とし、ｍ，ｎは通過させたい発振モードであり、ＴＥ１０モードの場合はｍ＝１，ｎ＝０となる。また、定数ｋは発振モードにより変わる。
【００１６】
この導波管６は、管路内部６ｅの寸法を上式の最低寸法を維持すれば、図４（ａ）に示すように複数の屈曲部を有しても良いし、図４（ｂ）に示すように導波管６の中央部６（ｄ）において導波管内部の通路６ｅが太くなっても良いし、また、図示していないが、湾曲させてもよい。従って、受水部２のデザインに併せてスパウト１の形は自由に変更しても損失無くアンテナ１２から放射される電波をロスすることなく導波管内部を通り、吐水空間に導くことができる。
【００１７】
このように導波管６は、金属製の配管をスパウト内部に配設し引き回しても良いし、図５（ａ）に示すようにスパウト根元１ｂから所定の長さだけ挿入し、スパウト１を導波管に見立て吐水口１ａから吐水空間に向かって電波を放射させても良い。この方法だと、スパウト内に金属製の配管を構成しないため、組立てが容易になるメリットがある。但し、被検知体からの反射信号をスパウト１と導波管６の隙間からもらさないように、導波管６の外周は、金属製のシール部材２１に隙間無く接続されており、更にシール部材２１がスパウト内周部と隙間無く接続すると良い。また、図５（ｃ）のように、吐水口１ａには、導波管６から放射される電波の放射方向を規制する指向部材２２を配置すると、被検知体をより高精度に検知することができ都合が良い。この指向部材２２の先端の電波を吐水空間に放射する構造については後述する。
尚、導波管６は金属製の配管を利用することを前提に述べてきたが、スパウト１を鋳物で形成する場合は、水路及び導波管をそれぞれ独立して併設するよう構成すれば、双方の部材をスパウトと一体化でき、組立て不用なシステムが可能になる。
【００１８】
次に導波管６と水路配管７の併設構成について、図６にて説明する。図６（ａ），（ｂ）それぞれの左上部分にスパウト１内における水路配管７と導波管６の上下関係の配置を示し、右部分にその位置関係における電波強度を示す解析結果を示す。
図６（ａ）は、導波管６が水路配管７の上方に配置している状態であり、吐水状態の時に吐水空間に向かって電波を放射した解析結果を右横から示したものである。一方、図６（ｂ）は導波管６が水路配管７の下側に配置した状態であり、同じく吐水状態にある時の電波分布を解析した結果である。尚図６（ｃ）に止水状態の解析結果を示す。止水状態では導波管６と水路配管７の上下関係による電波分布の差がほとんど無いため、実施例では導波管６が下にある時の解析結果を示している。図から分かるように、電波は水に反射するため、導波管６が水路配管７の上にある場合は、吐水口１ａから受水部２に向かって給水される水流を挟んで下側への電波の放射が制限されており、導波管６が下にある場合は、その反対に電波が水流を挟んで上側への広がりを制限されている。この図６（ｂ）と図６（ｃ）の状態を比べると、特に差異があるのは吐水口１ａより下方の電波強度であり、止水時よりも吐水時の方が吐水口１ａ下方の電波強度が強くなっている。これは水流により電波の上方への広がりを遮断しているだけではなく、下側への反射を促していることを意味しており、水と電波の空間に放射される位置が略同一であるために、上方へ拡散するかなりの量が遮断されていることによるものである。すなわち図１の電波センサ３から導波管を使わずに直接電波を放射した場合は、水流に当たる前に電波が拡散されるため、水流で反射される量はごく一部となり、吐水口下側の電波強度の増加現象はなくなる。従って、導波管を水路配管に併設し吐水口から吐水空間に向かって電波を放射すると、水路をはさんだ他側の空間の移動体を検知しにくくなるため、吐水中に上方空間を検知したくなく吐水口下方を検知したい場合は、導波管を下側に配置し、逆に水使用中の手の揺らぎを検知して吐水を継続したい場合は、導波管を上側に配置すればよい。尚本実施例では、前者の導波管を下側に配置した例を採用しており、以下使い勝手の観点から説明する。
【００１９】
次に図６の導波管と水路構成との配置の関係と、吐止水時の電波放射分布の違いとで水栓装置１０の使い勝手の関係について、図７を用い説明する。
上記のように止水中における導波管６からの電波の放射状態は図６（ｃ）である。この時に、検知したいのは吐水口１ａに近づく手やコップや雑巾などの被洗浄物であり、一方検知したくないのは、受水部２の前面側で、手についた石鹸を掌やこぶし全体に満遍なく引き伸ばす手もみ行為や、手に付着した水を振り落とす水きり行為や、うがいした水を捨てるために顔を受水部に近づける行為である。この検知したくない人の行為は、一般に図７のエリアＣで行われるために、このエリアＣへの電波強度を低くしたい。但し、使い勝手を考えると、吐水口１ａに到達する前に被洗浄体を検知して、被検知体が洗浄ポイントである到達点に止まる前に吐水口から水を給水することが望ましい。従って、図中のエリアＡにて被検知体を検知したい。そこで図６（ａ）、図６（ｂ）に示すような水路配管に併設して導波管を配置し、吐水口から吐水空間に向かって電波を放射すると、吐水口近傍が吐水空間内部で最も電波強度が強く、導波管６の開放端からの電波指向性はほぼ無指向状態であることから、吐水口から距離が離れるほど電波が拡散し、エリアＡとエリアＣの電力差が大きくなる。従ってエリアＡで手を検知し、エリアＣで手よりも大きな体を検知しにくくなり誤検知の小さな水栓装置を構成することができる。また、吐水開始後は、被洗浄体を満遍なく洗浄したり、コップへの水汲みなどを行うために水流に対して直交して被洗浄物を差し出すため、吐水口１ａの下方で水を利用することになり、図中のエリアＢを検知したい。このように水栓装置１を使用する利用者に対してストレスを与えず使い勝手を提供するためには、使用前はエリアＡの被検知体の有無を判定し、使用中はその行為を確実に見極めるためにエリアＢの被検知体を見極めることが重要であるため、吐水前はエリアＡの電界強度が大きく、吐水中はエリアＢの電界強度が大きいのが望ましい。その場合は、導波管６は水路配管７の下側に配置し、電波を水流に反射させる構成にした方が使い勝手の良い水栓装置１を提供できることになり、本実施例で採用している。
【００２０】
更に検知精度を向上させる方法として、エリアＣとエリアＡの電波強度の差をつけることが望ましく、導波管先端から放射される電波の指向方向を設定する方法について図８を用いて説明する。図８（ａ）は第１の例の外観図であり、図８（ｂ）は、図８（ａ）のＣ視断面図である。図に示すように導波管を経路の途中で分岐するすると、導波管内部の点Ｐから上部の通路を通り開放端Ｐ１までの距離と、点Ｐから下部の通路を通ったときの開放端Ｐ２の寸法は分岐した分の寸法ｘ分長いため、その寸法分使用する周波数の波長における位相が遅れることになり、電波は遅れている下方側へ電波が曲がることになる。また、図８（ｃ）は、第２の例の外観図であり、導波管先端形状を上辺から下辺に向かって斜めに切り落とした形にしており、上辺のほうが突出した構成になっている。この場合も電波は導波管内部を電波が伝送される際、下方側が先に開放になることから下方へと電波が拡散する効果により下方側へ曲がるため、この両者のいずれかを導波管６の先端に構成すると、導波管先端から放射される電波の最大指向方向は下側へ向くことになる。最大指向方向がエリアＡ及びエリアＣ方向に向くとエリアＣの被検知体が大きい場合に反射電力量が大きくなり誤検知する可能性があるが、導波管先端に指向方向を下側に定め、エリアＡ及びＣ側においては距離に応じて電波の拡散が大きくなるために、電波強度差が大きくなり、エリアＡでの被検知体の検知精度が高まり吐水口に向かう被洗浄体と受水部２の前面で使用する使用者の行為とを確実に見極めることが可能になり、吐水タイミングが早く，使用中に吐水の継続が途切れることなく、しかも誤検知の少ない水栓装置を提供することが可能になる。尚、この指向を下方側に変更する構造としては、端面の加工を容易に行えるようであれば、第２の例の方が省スペースになるが、水道水の進入を防ぐための先端の封し部材８の取り付けが容易なのは端面が揃っている第１の例であり、それぞれの特長を生かして選択すればよい。本実施例では、省スペースを優先し、第２の例を採用している。
【００２１】
以上の構成において、電波センサ３が被検知体からの信号を受信し、水栓装置１０からの給水制御について、図９に示す制御フローと、図１０〜図１１に示す電波センサ３からの検知信号が速度抽出部を通過したときの状態とを用いて説明する。
使用者が水栓装置１０に近づくき、吐水口に向かって手を差し出すと、Ｓ０１において電波センサ３から得られた検知信号は、制御部５の速度抽出部１４を通過し、判定部１５があらかじめ記憶部１６に設定している加速・減速・等速のそれぞれの信号パターンと比較し、図１０（ａ）のような時間の経過と共に速度が低下する動きは、水栓装置１０を使う動作であるエリアＡ内における減速する動きと判断し、制御部５はバルブ部４に開信号を出力し、吐水口先端から水道水を供給することになる。このように、手が吐水口１ａ近傍の洗浄するポイントに到達する前に手の進入を検知すると、洗浄ポイントにおいて給水されるまでの時間が無いため使い勝手の良い水栓装置となる。尚、Ｓ０１において、図１０（ｂ）に示す時間の経過にかかわらず一定速度の等速信号は、判定部１５は受水部２の周辺のコップや歯ブラシなどを取る横切る動きと判断し、また図１０（ｃ）に示す時間の経過と共に速度増加する加速信号は、判定部１６は吐水口１ａから受水部２の外側に加速する動作と判断し、制御部５はバルブ部４を閉状態に保持する。
【００２２】
吐水口から水道水が供給されると、前記のように導波管から放射された電波は、水流とぶつかるために、エリアＢ側への電波強度が増大する。その状況において、制御部５は、差し出された手に水道水がぶつかり飛散している状態かどうかをＳ０３にて判定している。このＳ０３において、電波センサ３から得られて制御部５の速度抽出部１４を通過した信号ｆが記憶部１６であらかじめ設定している周波数ｆ１，ｆ２に対して、図１１（ａ）に示すようにｆ１＜ｆ＜ｆ２になった場合、判定部１５は、手の表面で飛散した水滴によって、導波管先端から放射される開口面の垂直方向に対して様々な方向の動き成分が得られている状態であると判断し、Ｓ０２に戻り引き続きバルブ部４を開状態に継続する。また、図１１（ｂ）のようにｆ＜ｆ１のときは、判定部１５は、コップや茶碗のような器に水道水を汲んでいて、器の水面の揺らいでいる状況であり、導波管先端から放射される開口面の垂直方向に対してを直交している動きと判断し、この時もＳ０２に戻り引き続きバルブ部４を開状態に継続する。しかしながら、図１１（ｃ）に示すｆ＞ｆ２の信号を得られた場合は、判定部１５は、導波管の開口面の垂直方向と水流方向が略平行であり水道水の流速をそのまま得れていると判断し、Ｓ０４にて制御部５は、バルブ部４に閉信号の出力を行い、水道水の供給を停止する。このようにエリアＢの電界強度が増大すると、速度抽出部を通過した信号のＳ／Ｎ比が向上し、図１１に示すように容易に水道水と被洗浄物やコップとの干渉して飛散水が発生している状態を把握でき、吐水口からの水道水の供給を継続すべきか止水すべきかを判断しやすくなる。図１１では、説明の都合上各動作における電波センサ３からの周波数成分が分かりやすい例を示したが、速度抽出部１４が複数の帯域フィルターか、ｆ２以上の周波数のみを通過させるハイパスフィルターと、ｆ１からｆ２の帯域を通過させるバンドパスフィルターと、ｆ１のみを通過させるローパスフィルターの３つのフィルターとで構成させても良い。その場合は、判定部１５は、Ｓ０３において、ｆ２以下の帯域で信号が得られた場合は、手洗い中か水汲み中の動作であると判断し吐水を継続し、得られない場合は水流のみの状態になったと判断し止水としても良い。あるいは、ｆ２以上の帯域の信号に着目し、信号がある場合は水流のみの状態であり止水になり、信号がない場合は、水流に対して手または器が干渉している状態であると判断し、吐水を継続すると良い。尚、フィルターはＣＲ回路で構成しても、ソフトウエアでも構成してよいが、前者はＣＲの時定数のみの遅れで信号を得ることができ、判定時間を迅速にできるため洗浄終了時の止水のタイミングが早くなる。一方後者は、通過させたい周波数の信号と遮断したい周波数の信号との差を大きくすることができるため、検知部１３における検知感度が向上し、止水判定制度が高まり、誤検知のないシステムになるため、目的に応じて選択すると良い。
【００２３】
（第２の実施例）
【００２４】
図１２に水栓装置の第２の実施例の概観図を示し、図１３（ａ）に図１２の点線部の断面図を示す。また、図１３（ｂ）は、図１３（ａ）のＤ方向からみた導波管の断面構造を示す。
【００２５】
図１２に示す水栓装置３０は、水道水を供給するための吐水部であるスパウト３１と、スパウト３１から吐水される水を受ける受水部３２と、図示していないが、第１の実施例同様受水部３２の内部にスパウト３１からの吐止水を切替えるバルブ部と、被検知体である被洗浄物を検知するための電波センサ３３と、バルブ部のｏｎ，ｏｆｆを制御する制御部とで構成されている。また、スパウト３１は、電波センサ３３から生成される送信波をスパウト３１の吐水口３１ａ付近までもらさず導く導波管３６と、同じく受水部３２内に配設されている一端がバルブ部３４に接続され、他端が吐水口３１ａである水路配管３７が設けられている。
【００２６】
導波管３６は、電波センサ３３との接続は、第１の実施例のように１つの端面で接続されており、導波管の経路の途中３６ｂにて二股に分岐されており、吐水空間への出口は３６ｃ、３６ｄのように２箇所から電波が放射される構成になっている。それぞれの出口から放射される電波の量は同一になるように、分岐部からの出口までの寸法、内部通路面積は同一になっている。また、この２つの出口は、水路配管３７の下方に配置されており、それぞれの出口先端は、図１３（ｂ）に示すようにそれぞれの内側方向と、図１３（ａ）に示すように受水部側の下方向に電波の指向が向くように開口面がカットされている。従って、導波管出口から放射される電波の強度は略同一となり、また吐水口先端よりも前方を検知しつつ、吐水口下方にも電波強度を確保している。第１の実施例同様電波が水流にぶつかり吐水口下方側の電波強度が増加しているため、水栓装置を使用している際にも被洗浄体から飛散水を検知することができ、誤って止水することのない快適な水栓装置を提供することができる。更にそれぞれの導波管からの電波の放射方向を内向き且つ下向きに指向を持たせることにより、図７に示すエリアＡとエリアＣの電波強度差を大きくさせることができ誤検知のない水栓装置システムを構成することができる。尚、電波センサ３３の構成，導波管構造，検知範囲の設定や制御フローについては、第１の実施例と同様につき省略する。ここでは、電波と水流とは吐水空間でぶつかるように構成すれば、水流のみの状態と被洗浄物による飛散水との識別ができるため平行に配置しても良い。
【００２７】
次に図１４に示す電波分布の解析結果を用いて使用者が吐水を開始するときの検知メカニズムについて説明する。前記のように導波管先端を分割すると、導波管の開放端３６ｃ，３６ｄからの指向方向はそれぞれの内側に向かって放射されるものの、空間に向かって電波の拡散が発生し、その拡散した電波の一部がＰ３６ｃ，Ｐ３６ｄの方向にも得られる。従って、水栓装置３１に対して使用者が正面方向から利用するだけでなく、Ｘ方向やＹ方向から使用したい場合にも、被検知体である手や器などの被洗浄物を検知しやすく、手が吐水口に到達する前に検知でき、最適なタイミングで吐水する快適な水栓装置を提供することが可能になる。尚、検知に必要な強度とは、受水部３２内の被洗浄物からの反射信号と、受水部３２より外側で使用者が受水部に近づいた時の反射信号や、受水部３２の上方から受水部３２を覗き込む動作をした時に得られる反射信号との差であり、この差が大きくするほど誤検知のない水栓装置が提供でき、受水部の形状に合わせて、導波管先端のカット形状を調整し、前方の使用者からの反射信号を抑制するには、分割したそれぞれの開放端の内側により向かうようカットし、受水部上方からの反射信号を抑制するには開放端からの放射方向が下側に向かうようにカットすると良い。
【００２８】
（第３の実施例）
【００２９】
図１５に手洗い装置の第３の実施例の概観図を示す。図１６（ａ）にスパウト部の外観図を示し、図１６（ｂ）にスパウトを下から見たときの導波管と水路配管の構成を示し、図１６（ｃ）にスパウトの吐水口先端を前面から見た図を示す。
【００３０】
水栓装置５０は、水道水を供給するための吐水部であるスパウト５１と、スパウト５１から吐水される水を受ける受水部５２と、スパウト５１からの吐止水を切替えるバルブ部と、被検知体である被洗浄物を検知するための電波センサ５３と、バルブ部のｏｎ，ｏｆｆを制御する制御部とで構成されている。また、スパウト５１は、電波センサ５３から生成される送信波をスパウト５１の吐水口５１ａ付近までもらさず導く導波管５６と、同じく受水部５２内に配設されている一端がバルブ部に接続され、他端が吐水口５１ａである水路配管５７が設けられている。水路配管５７は、左右方向に幅広構造にしており、吐水する水の形態が滝状になっている。
【００３１】
導波管５６は、電波センサ５３との接続は、１つの端面５６ｅで接続されており、導波管の経路の途中５６ａにて二股に分岐されており、吐水空間への出口は５６ｂ、５６ｃのように２箇所から電波が放射される構成になっている。それぞれの出口から放射される電波の量は同一になるように、電波センサ５３との接続位置は調整されており、接続位置から５６ｃまでの経路と、接続位置から５６ａまでの経路の長さが、電波センサ５３が使用する電波の波長に着目し、それぞれの出口から放射される位相が同位相になるようにしている。尚、図１７（ａ）には略同位相の状態を示す電波分布の解析状態を示し、図１７（ｂ）には、位相が１８０度ずれている時の解析結果を示す。本実施例では、この図１７（ａ）になるように電波センサ５３と導波管の接続位置５６ｅをＤ−Ｄ方向に調整し、設定している。接続位置が受水部やスパウトに干渉して調整できない場合は、５６ｂと５６ｃの間隔や、導波管の前出方向（Ｅ−Ｅ）の長さで調整しても良いが、第二の実施例同様分岐部からの出口までの寸法、内部通路面積は同一になっていると分割したそれぞれの管路内の損失が同一であり、同量の電波放射量を確保しやすく良い。
【００３２】
また、この２つの出口は、電波放射量を同一量に保持した状態に、更に水路配管５７と平行で左右方向に隣接して配置されており、それぞれの出口先端は、開口面の垂直方向と水路配管の吐水方向とが一致するようにほぼ無指向状態で放射すれば、吐水口近傍と受水部前側の電力差を大きくできるため、誤検知の少ないシステムになるが、受水部が小さい場合には、更に強度差を設けたほうが望ましたく、図１６（ｂ）に示すようにそれぞれの内側方向と、図示していないが受水部側の下方向に電波の指向が向くように開口面がカットされている。このようにそれぞれの導波管出口から放射される電波は、吐水口先端の前方下方で交錯するようになると、それぞれの導波管出口から放射された電波は滝状の水流を挟み込むように水流の横方向ににぶつかるように構成するため、検知部が水流のみの状態と、水流に被洗浄体である手や器が差し出されている状態とを水流による流速変化を用いて識別することが可能になる。更に、水栓装置を使用している時に吐水口下方で使用している様を被洗浄体で発生する飛散水を検知することができ、誤って止水することのない快適な水栓装置を提供することができる。また、第２の実施例同様幅広に吐水する吐水口にあわせて吐水口前方を左右方向に幅広く検知範囲を有しいてるため、水栓装置５１に対して使用者が正面方向から真ん中で利用するだけでなく、吐水口の恥のほうで使用する場合や、横方向から（Ｘ方向やＹ方向）使用したい場合にも、被検知体である手や器などの被洗浄物を検知しやすく、手が吐水口に到達する前に検知でき、最適なタイミングで吐水する快適な水栓装置を提供することが可能になる。尚、電波センサ３３の構成，導波管構造，検知範囲の設定や制御フローについては、第１の実施例と同様につき省略する。
【００３３】
以上３つの水栓装置の実施例を用いて説明したように、水栓装置の形態が変わった場合にも電波センサの構造を変えずに水栓装置にあった導波管の構造を変えるだけで、吐水口先端近傍に差し出される使用者の手や雑巾などの被洗浄物や器などを検知して使用する目的の場所に到達するか否かの最適なタイミングでスパウトからの吐水を開始し、水流と電波のぶつかりにより水流のみの常態か使用中の被洗浄物からの飛散している常態かを電波センサで得られる速度情報により識別し、使用中には吐水の継続を行い、使用後に速やかに止水する誤検知のない快適な水栓装置を提供することが可能になる。
【図面の簡単な説明】
【００３４】
【図１】第１の実施例を示す図である。
【図２】電波センサ及び制御部のブロック図である。
【図３】第１の実施例における導波管の外観図である。
【図４】電波が導波管内部を伝達する状態を解析した図である。
【図５】スパウト内の導波管の状態を示した図である。
【図６】導波管と水路配管の配置違いによる電波状態を解析した図である。
【図７】水栓装置内のセンサ検知範囲を示す図である。
【図８】導波管の吐水空間側の開放端の構造を示す図である
【図９】制御部が行う制御フローを示す図である。
【図１０】吐水空間で使用者の使用行為に応じた速度変化を示す図である。
【図１１】電波センサがバルブ開状態で検知する波形を示す図である。
【図１２】本発明の第２の実施例を示す外観図である。
【図１３】導波管と水路配管の構成を示す図である。
【図１４】第２の実施例の導波管から放射される電波状態を解析した図である。
【図１５】本発明の第３の実施例を示す外観図である
【図１６】導波管と水路配管構成を示す図である。
【図１７】電波が導波管内部を伝達する状態を解析した図である。
【符号の説明】
【００３５】
１，３１，５１、…スパウト
２，３２，５２、…受水部
３，３３，５３、…導波管
４、…バルブ
５、…制御部
６，３６，５６、…導波管
７，３７，５７、…水路配管
８、…封し部材
１０，３０，５０、…水栓装置
１１、…発振回路
１２、…アンテナ
１３、…検知部
１４、…速度抽出部
１５、…判定部
１６、…記憶部
２１、…シール部材
２２、…指向部材
【図１】
2010236269.tif 000003
【図２】
2010236269.tif 000004
【図３】
2010236269.tif 000005
【図４】
2010236269.tif 000006
【図５】
2010236269.tif 000007
【図６】
2010236269.tif 000008
【図７】
2010236269.tif 000009
【図８】
2010236269.tif 000010
【図９】
2010236269.tif 000011
【図１０】
2010236269.tif 000012
【図１１】
2010236269.tif 000013
【図１２】
2010236269.tif 000014
【図１３】
2010236269.tif 000015
【図１４】
2010236269.tif 000016
【図１５】
2010236269.tif 000017
【図１６】
2010236269.tif 000018
【図１７】
2010236269.tif 000019